(57)【要約】【課題】簡便に且つ確実に機能制限を行う。【解決手段】リモコンのＭＰＵ２６は、予め設定されたキーである特定キーが押下された場合に、各リモコンを識別可能な識別情報であるリモコン識別情報を、操作信号としてデジタル放送受信機に対して送信する操作信号送信部２６３を備え、デジタル放送受信機のＭＰＵ１１は、特定キーに対応する操作信号が受け付けられたか否かを判定する特定キー判定部１１１と、特定キーに対応する操作信号が受け付けられたと判定された場合に、受け付けられた操作信号に含まれるリモコン識別情報に対応する機能制限設定情報を、機能制限記憶部１２２から読み出し、読み出された機能制限設定情報に基づいて、機能制限の条件を設定する機能制限設定部１１２と、を備えている。【選択図】図５
2008131430.tif 000002
【特許請求の範囲】
【請求項１】
テレビジョン放送を受信し、外部から視認可能にモニタに出力可能に構成された放送受信装置と、複数のキーが配設されると共に、前記放送受信装置と通信可能に接続された複数のリモートコントローラと、を備える放送受信システムであって、
前記複数のリモートコントローラは、それぞれ、
前記複数のキー毎に予め設定され、キーを識別可能な識別情報であるキー識別情報を格納するキー情報記憶手段と、
外部からの前記複数のキーの押下を受け付けて、前記複数のキーの内、押下されたキーを判別するキー判別手段と、
前記キー判別手段によって押下されたと判定されたキーに対応するキー識別情報を、前記キー情報記憶手段から読み出して、読み出されたキー識別情報を操作信号として前記放送受信装置に対して送信すると共に、前記複数のキーの内、予め設定された少なくとも１のキーである特定キーが押下された場合に、各リモートコントローラを識別可能な識別情報であるリモコン識別情報を、操作信号として前記放送受信装置に対して送信する送信手段と、
を備え、
前記放送受信装置は、
前記リモコン識別情報と対応付けて、機能制限の条件を規定する情報である機能制限設定情報を格納する機能制限記憶手段と、
前記特定キーに対応する操作信号が受け付けられたか否かを判定する特定キー判定手段と、
前記特定キー判定手段によって特定キーに対応する操作信号が受け付けられたと判定された場合に、受け付けられた操作信号に含まれるリモコン識別情報に対応する機能制限設定情報を、前記機能制限記憶手段から読み出し、読み出された機能制限設定情報に基づいて、機能制限の条件を設定する機能制限設定手段と、
を備え、
前記キー情報記憶手段は、前記特定キーに対応するキー識別情報を、前記リモコン識別情報として機能させるべく、前記複数のリモートコントローラ毎に互いに相違して予め設定して格納されており、
前記特定キーは、前記放送受信装置の電源を投入する場合に押下されるパワーキー、前記放送受信装置の機能を設定する場合にメニュー画面を表示させるべく押下されるメニューキー、及び、前記放送受信装置の機能を設定する場合に押下されるエンターキー、を含み、
前記機能制限設定情報は、視聴制限を設定する情報である視聴制限設定情報を含むことを特徴とする放送受信システム。
【請求項２】
テレビジョン放送を受信し、外部から視認可能にモニタに出力可能に構成された放送受信装置と、複数のキーが配設されると共に、前記放送受信装置と通信可能に接続された複数のリモートコントローラと、を備える放送受信システムであって、
前記複数のリモートコントローラは、それぞれ、
前記複数のキーの内、予め設定された少なくとも１のキーである特定キーが押下された場合に、各リモートコントローラを識別可能な識別情報であるリモコン識別情報を、操作信号として前記放送受信装置に対して送信する送信手段を備え、
前記放送受信装置は、
前記リモコン識別情報と対応付けて、機能制限の条件を規定する情報である機能制限設定情報を格納する機能制限記憶手段と、
前記特定キーに対応する操作信号が受け付けられたか否かを判定する特定キー判定手段と、
前記特定キー判定手段によって特定キーに対応する操作信号が受け付けられたと判定された場合に、受け付けられた操作信号に含まれるリモコン識別情報に対応する機能制限設定情報を、前記機能制限記憶手段から読み出し、読み出された機能制限設定情報に基づいて、機能制限の条件を設定する機能制限設定手段と、
を備えることを特徴とする放送受信システム。
【請求項３】
前記特定キーは、前記放送受信装置の電源を投入する場合に押下されるパワーキーを含むことを特徴とする請求項２に記載の放送受信システム。
【請求項４】
前記特定キーは、前記放送受信装置の機能を設定する場合にメニュー画面を表示させるべく押下されるメニューキーを含むことを特徴とする請求項２又は請求項３に記載の放送受信システム。
【請求項５】
前記特定キーは、前記放送受信装置の機能を設定する場合に押下されるエンターキーを含むことを特徴とする請求項２〜請求項４のいずれかに記載の放送受信システム。
【請求項６】
前記複数のリモートコントローラは、それぞれ、
前記複数のキー毎に予め設定され、キーを識別可能な識別情報であるキー識別情報を格納するキー情報記憶手段と、
外部からの前記複数のキーの押下を受け付けて、前記複数のキーの内、押下されたキーを判別するキー判別手段と、
を備え、
前記送信手段は、前記キー判別手段によって押下されたと判定されたキーに対応するキー識別情報を、前記キー情報記憶手段から読み出して、読み出されたキー識別情報を操作信号として送信し、
前記キー情報記憶手段は、前記特定キーに対応するキー識別情報を、前記リモコン識別情報として機能させるべく、前記複数のリモートコントローラ毎に互いに相違して予め設定して格納されていることを特徴とする請求項２〜請求項５のいずれかに記載の放送受信システム。
【請求項７】
前記キー情報記憶手段は、前記キー識別情報を、前記リモコン識別情報として機能させるべく、前記複数のリモートコントローラ毎に互いに相違して予め設定して格納されていることを特徴とする請求項６に記載の放送受信システム。
【請求項８】
前記機能制限設定情報は、視聴制限を設定する情報である視聴制限設定情報を含むことを特徴とする請求項２〜請求項７のいずれかに記載の放送受信システム。
【発明の詳細な説明】
【技術分野】
【０００１】
本発明は、テレビジョン放送を受信し、外部から視認可能にモニタに出力可能に構成された放送受信装置と、複数のキーが配設されると共に、前記放送受信装置と通信可能に接続された複数のリモートコントローラと、を備える放送受信システムに関する。
【背景技術】
【０００２】
従来、テレビジョン放送を受信し、外部から視認可能にモニタに出力可能に構成された放送受信装置では、デジタル放送の普及に伴って、視聴可能なチャンネル数が飛躍的に増加し、暴力シーン、猥褻なシーン等を含む番組が増加しており、このような番組を子供等に見せないように、子供等が視聴できる番組を制限する要求が高まっている。
【０００３】
この課題を解消するために、種々の装置が提案されている。例えば、パスワード毎に視聴を禁止する番組の種別を記憶しており、電源オン時にパスワードの入力を受け付け、入力されたパスワードに対して禁止されている番組の種別を読み出し、選択されているチャンネルで受信している番組の種別が禁止されているものであるかどうかにより表示出力を制限（＝視聴制限）するデジタル放送受信装置が開示されている（特許文献１参照）。
【特許文献１】特開２００２−６４７５８号公報
【発明の開示】
【発明が解決しようとする課題】
【０００４】
しかしながら、上記デジタル放送受信装置では、電源オン時にパスワードの入力をする必要があるため、操作が煩雑になる場合がある。また、パスワード情報が漏洩した場合には、視聴制限等の機能制限を実行できない虞がある。
【０００５】
本発明は、上記課題に鑑みてなされたものであって、簡便に且つ確実に機能制限を行うことの可能な放送受信システムを提供することを目的としている。
【課題を解決するための手段】
【０００６】
上記目的を達成するために請求項１に記載の放送受信システムは、テレビジョン放送を受信し、外部から視認可能にモニタに出力可能に構成された放送受信装置と、複数のキーが配設されると共に、前記放送受信装置と通信可能に接続された複数のリモートコントローラと、を備える放送受信システムであって、前記複数のリモートコントローラは、それぞれ、前記複数のキー毎に予め設定され、キーを識別可能な識別情報であるキー識別情報を格納するキー情報記憶手段と、外部からの前記複数のキーの押下を受け付けて、前記複数のキーの内、押下されたキーを判別するキー判別手段と、前記キー判別手段によって押下されたと判定されたキーに対応するキー識別情報を、前記キー情報記憶手段から読み出して、読み出されたキー識別情報を操作信号として前記放送受信装置に対して送信すると共に、前記複数のキーの内、予め設定された少なくとも１のキーである特定キーが押下された場合に、各リモートコントローラを識別可能な識別情報であるリモコン識別情報を、操作信号として前記放送受信装置に対して送信する送信手段と、を備え、前記放送受信装置は、前記リモコン識別情報と対応付けて、機能制限の条件を規定する情報である機能制限設定情報を格納する機能制限記憶手段と、前記特定キーに対応する操作信号が受け付けられたか否かを判定する特定キー判定手段と、前記特定キー判定手段によって特定キーに対応する操作信号が受け付けられたと判定された場合に、受け付けられた操作信号に含まれるリモコン識別情報に対応する機能制限設定情報を、前記機能制限記憶手段から読み出し、読み出された機能制限設定情報に基づいて、機能制限の条件を設定する機能制限設定手段と、を備え、前記キー情報記憶手段が、前記特定キーに対応するキー識別情報を前記リモコン識別情報として機能させるべく、前記複数のリモートコントローラ毎に互いに相違して予め設定して格納されており、前記特定キーが、前記放送受信装置の電源を投入する場合に押下されるパワーキー、前記放送受信装置の機能を設定する場合にメニュー画面を表示させるべく押下されるメニューキー、及び、前記放送受信装置の機能を設定する場合に押下されるエンターキー、を含み、前記機能制限設定情報が、視聴制限を設定する情報である視聴制限設定情報を含むことを特徴としている。
【０００７】
請求項２に記載の放送受信システムは、テレビジョン放送を受信し、外部から視認可能にモニタに出力可能に構成された放送受信装置と、複数のキーが配設されると共に、前記放送受信装置と通信可能に接続された複数のリモートコントローラと、を備える放送受信システムであって、前記複数のリモートコントローラは、それぞれ、前記複数のキーの内、予め設定された少なくとも１のキーである特定キーが押下された場合に、各リモートコントローラを識別可能な識別情報であるリモコン識別情報を、操作信号として前記放送受信装置に対して送信する送信手段を備え、前記放送受信装置は、前記リモコン識別情報と対応付けて、機能制限の条件を規定する情報である機能制限設定情報を格納する機能制限記憶手段と、前記特定キーに対応する操作信号が受け付けられたか否かを判定する特定キー判定手段と、前記特定キー判定手段によって特定キーに対応する操作信号が受け付けられたと判定された場合に、受け付けられた操作信号に含まれるリモコン識別情報に対応する機能制限設定情報を、前記機能制限記憶手段から読み出し、読み出された機能制限設定情報に基づいて、機能制限の条件を設定する機能制限設定手段と、を備えることを特徴としている。
【０００８】
請求項３に記載の放送受信システムは、請求項２に記載の放送受信システムであって、前記特定キーが、前記放送受信装置の電源を投入する場合に押下されるパワーキーを含むことを特徴としている。
【０００９】
請求項４に記載の放送受信システムは、請求項２又は請求項３に記載の放送受信システムであって、前記特定キーが、前記放送受信装置の機能を設定する場合にメニュー画面を表示させるべく押下されるメニューキーを含むことを特徴としている。
【００１０】
請求項５に記載の放送受信システムは、請求項２〜請求項４のいずれかに記載の放送受信システムであって、前記特定キーが、前記放送受信装置の機能を設定する場合に押下されるエンターキーを含むことを特徴としている。
【００１１】
請求項６に記載の放送受信システムは、請求項２〜請求項５のいずれかに記載の放送受信システムであって、前記複数のリモートコントローラは、それぞれ、前記複数のキー毎に予め設定され、キーを識別可能な識別情報であるキー識別情報を格納するキー情報記憶手段と、外部からの前記複数のキーの押下を受け付けて、前記複数のキーの内、押下されたキーを判別するキー判別手段と、を備え、前記送信手段が、前記キー判別手段によって押下されたと判定されたキーに対応するキー識別情報を、前記キー情報記憶手段から読み出して、読み出されたキー識別情報を操作信号として送信し、前記キー情報記憶手段が、前記特定キーに対応するキー識別情報を前記リモコン識別情報として機能させるべく、前記複数のリモートコントローラ毎に互いに相違して予め設定して格納されていることを特徴としている。
【００１２】
請求項７に記載の放送受信システムは、請求項６に記載の放送受信システムであって、前記キー情報記憶手段が、前記キー識別情報を前記リモコン識別情報として機能させるべく、前記複数のリモートコントローラ毎に互いに相違して予め設定して格納されていることを特徴としている。
【００１３】
請求項８に記載の放送受信システムは、請求項２〜請求項７のいずれかに記載の放送受信システムであって、前記機能制限設定情報が、視聴制限を設定する情報である視聴制限設定情報を含むことを特徴としている。
【発明の効果】
【００１４】
請求項１に記載の放送受信システムによれば、各リモートコントローラにおいて、複数のキーの内、予め設定された少なくとも１のキーである特定キーが押下された場合に、各リモートコントローラを識別可能な識別情報であるリモコン識別情報が、操作信号として放送受信装置に対して送信される。また、放送受信装置では、特定キーに対応する操作信号が受け付けられたか否かが判定され、特定キーに対応する操作信号が受け付けられたと判定された場合に、受け付けられた操作信号に含まれるリモコン識別情報に対応する機能制限設定情報が、機能制限記憶手段から読み出される。そして、読み出された機能制限設定情報に基づいて、機能制限の条件が設定されるため、簡便に且つ確実に機能制限を行うことができる。
【００１５】
すなわち、各リモートコントローラから特定キーに対応する操作信号が受け付けられると、受け付けられた操作信号に含まれると共に、各リモートコントローラを識別可能な識別情報であるリモコン識別情報に対応する機能制限設定情報に基づいて、機能制限の条件が設定されるため、ユーザがリモートコントローラの特定キーを押下することによって、各リモートコントローラに対応する機能制限の条件が設定されるので、簡便に且つ確実に機能制限を行うことができるのである。
【００１６】
また、機能制限記憶手段に、リモートコントローラを識別可能な識別情報であるリモコン識別情報と対応付けて、機能制限の条件を規定する情報である機能制限設定情報が格納されており、リモートコントローラから受け付けられた操作信号に含まれるリモコン識別情報に対応する機能制限設定情報が読み出され、読み出された機能制限設定情報に基づいて、機能制限の条件が設定されるため、簡便に且つ確実に機能制限を行うことができるのである。
【００１７】
更に、特定キーが放送受信装置の電源を投入する場合に押下されるパワーキーを含むため、ユーザが電源を投入する際に機能制限の条件が設定されるため、更に簡便に機能制限を行うことができる。
【００１８】
すなわち、ユーザが放送受信装置を介して放送を視聴する場合には、まず、電源が投入されるため、電源を投入する操作を行ったユーザのリモートコントローラに対応する機能制限の条件が設定されるので、更に簡便に機能制限を行うことができるのである。
【００１９】
加えて、特定キーが放送受信装置の機能を設定する場合にメニュー画面を表示させるべく押下されるメニューキーを含むため、ユーザが放送受信装置の機能を設定する際に機能制限の条件が設定されるため、更に確実に機能制限を行うことができる。
【００２０】
すなわち、ユーザが放送受信装置の機能を設定する場合には、メニュー画面を表示させるためのメニューキーが押下されるが、このメニューキーが押下された際に、その操作を行ったユーザのリモートコントローラに対応する機能制限の条件が設定されるので、更に確実に機能制限を行うことができるのである。
【００２１】
例えば、機能制限を受けるべきユーザ（例えば、子供等）が、メニューキーを押下した場合には、該ユーザのリモートコントローラに対応する機能制限の条件として、放送受信装置の機能を設定することを禁止する設定としておくことによって、該ユーザは、放送受信装置の機能を設定することができず、機能制限の条件を変更することができないのである。
【００２２】
また、特定キーが放送受信装置の機能を設定する場合に押下されるエンターキーを含むため、ユーザが放送受信装置の機能を設定する際に機能制限の条件が設定されるため、更に確実に機能制限を行うことができる。
【００２３】
すなわち、ユーザが放送受信装置の機能を設定する場合には、放送受信装置の機能を設定するエンターキーが押下されるが、このエンターキーが押下された際に、その操作を行ったユーザのリモートコントローラに対応する機能制限の条件が設定されるので、更に確実に機能制限を行うことができるのである。
【００２４】
例えば、機能制限を受けるべきユーザ（例えば、子供等）が、エンターキーを押下した場合には、該ユーザのリモートコントローラに対応する機能制限の条件として、放送受信装置の機能を設定することを禁止する設定としておくことによって、該ユーザは、放送受信装置の機能を設定することができず、機能制限の条件を変更することができないのである。
【００２５】
更に、外部からの複数のキーの押下が受け付けられて、複数のキーの内、押下されたキーが判別され、押下されたと判定されたキーに対応すると共に、キーを識別可能な識別情報であるキー識別情報が、キー情報記憶手段から読み出され、読み出されたキー識別情報が操作信号として送信される。また、キー情報記憶手段には、特定キーに対応するキー識別情報が、各リモートコントローラを識別可能な識別情報であるリモコン識別情報として機能させるべく、複数のリモートコントローラ毎に互いに相違して予め設定して格納されているため、特定キーに対応するキー識別情報がリモコン識別情報として機能するので、簡素な構成でリモコン識別情報を生成することができる。
【００２６】
加えて、機能制限設定情報が視聴制限を設定する情報である視聴制限設定情報を含むため、簡便に且つ確実に視聴制限を行うことができる。
【００２７】
請求項２に記載の放送受信システムによれば、各リモートコントローラにおいて、複数のキーの内、予め設定された少なくとも１のキーである特定キーが押下された場合に、各リモートコントローラを識別可能な識別情報であるリモコン識別情報が、操作信号として放送受信装置に対して送信される。また、放送受信装置では、特定キーに対応する操作信号が受け付けられたか否かが判定され、特定キーに対応する操作信号が受け付けられたと判定された場合に、受け付けられた操作信号に含まれるリモコン識別情報に対応する機能制限設定情報が、機能制限記憶手段から読み出される。そして、読み出された機能制限設定情報に基づいて、機能制限の条件が設定されるため、簡便に且つ確実に機能制限を行うことができる。
【００２８】
すなわち、各リモートコントローラから特定キーに対応する操作信号が受け付けられると、受け付けられた操作信号に含まれると共に、各リモートコントローラを識別可能な識別情報であるリモコン識別情報に対応する機能制限設定情報に基づいて、機能制限の条件が設定されるため、ユーザがリモートコントローラの特定キーを押下することによって、各リモートコントローラに対応する機能制限の条件が設定されるので、簡便に且つ確実に機能制限を行うことができるのである。
【００２９】
また、機能制限記憶手段に、リモートコントローラを識別可能な識別情報であるリモコン識別情報と対応付けて、機能制限の条件を規定する情報である機能制限設定情報が格納されており、リモートコントローラから受け付けられた操作信号に含まれるリモコン識別情報に対応する機能制限設定情報が読み出され、読み出された機能制限設定情報に基づいて、機能制限の条件が設定されるため、簡便に且つ確実に機能制限を行うことができるのである。
【００３０】
請求項３に記載の放送受信システムによれば、特定キーが放送受信装置の電源を投入する場合に押下されるパワーキーを含むため、ユーザが電源を投入する際に機能制限の条件が設定されるため、更に簡便に機能制限を行うことができる。
【００３１】
すなわち、ユーザが放送受信装置を介して放送を視聴する場合には、まず、電源が投入されるため、電源を投入する操作を行ったユーザのリモートコントローラに対応する機能制限の条件が設定されるので、更に簡便に機能制限を行うことができるのである。
【００３２】
請求項４に記載の放送受信システムによれば、特定キーが放送受信装置の機能を設定する場合にメニュー画面を表示させるべく押下されるメニューキーを含むため、ユーザが放送受信装置の機能を設定する際に機能制限の条件が設定されるため、更に確実に機能制限を行うことができる。
【００３３】
すなわち、ユーザが放送受信装置の機能を設定する場合には、メニュー画面を表示させるためのメニューキーが押下されるが、このメニューキーが押下された際に、その操作を行ったユーザのリモートコントローラに対応する機能制限の条件が設定されるので、更に確実に機能制限を行うことができるのである。
【００３４】
例えば、機能制限を受けるべきユーザ（例えば、子供等）が、メニューキーを押下した場合には、該ユーザのリモートコントローラに対応する機能制限の条件として、放送受信装置の機能を設定することを禁止する設定としておくことによって、該ユーザは、放送受信装置の機能を設定することができず、機能制限の条件を変更することができないのである。
【００３５】
請求項５に記載の放送受信システムによれば、特定キーが放送受信装置の機能を設定する場合に押下されるエンターキーを含むため、ユーザが放送受信装置の機能を設定する際に機能制限の条件が設定されるため、更に確実に機能制限を行うことができる。
【００３６】
すなわち、ユーザが放送受信装置の機能を設定する場合には、放送受信装置の機能を設定するエンターキーが押下されるが、このエンターキーが押下された際に、その操作を行ったユーザのリモートコントローラに対応する機能制限の条件が設定されるので、更に確実に機能制限を行うことができるのである。
【００３７】
例えば、機能制限を受けるべきユーザ（例えば、子供等）が、エンターキーを押下した場合には、該ユーザのリモートコントローラに対応する機能制限の条件として、放送受信装置の機能を設定することを禁止する設定としておくことによって、該ユーザは、放送受信装置の機能を設定することができず、機能制限の条件を変更することができないのである。
【００３８】
請求項６に記載の放送受信システムによれば、外部からの複数のキーの押下が受け付けられて、複数のキーの内、押下されたキーが判別され、押下されたと判定されたキーに対応すると共に、キーを識別可能な識別情報であるキー識別情報が、キー情報記憶手段から読み出され、読み出されたキー識別情報が操作信号として送信される。また、キー情報記憶手段には、特定キーに対応するキー識別情報が、各リモートコントローラを識別可能な識別情報であるリモコン識別情報として機能させるべく、複数のリモートコントローラ毎に互いに相違して予め設定して格納されているため、特定キーに対応するキー識別情報がリモコン識別情報として機能するので、簡素な構成でリモコン識別情報を生成することができる。
【００３９】
請求項７に記載の放送受信システムによれば、キー情報記憶手段において、リモートコントローラに配設された複数のキー毎に予め設定され、キーを識別可能な識別情報であるキー識別情報が、各リモートコントローラを識別可能な識別情報であるリモコン識別情報として機能させるべく、複数のリモートコントローラ毎に互いに相違して予め設定して格納されているため、リモートコントローラに配設された複数のキーに対応するキー識別情報がリモコン識別情報として機能するので、更に確実に機能制限を行うことができる。
【００４０】
すなわち、リモートコントローラに配設されたキーが押下される度に、リモートコントローラを識別することが可能となるため、リモートコントローラに配設されたキーが押下される度に、キーが押下されたリモートコントローラに対応する機能制限の条件を設定することができるので、更に確実に機能制限を行うことができるのである。
【００４１】
請求項８に記載の放送受信システムによれば、機能制限設定情報が視聴制限を設定する情報である視聴制限設定情報を含むため、簡便に且つ確実に視聴制限を行うことができる。
【発明を実施するための最良の形態】
【００４２】
以下に本発明の実施形態を、図面を参照しながら説明する。図１は、本発明に係るデジタル放送受信システムの一例を示す構成図である。デジタル放送受信機１（放送受信装置に相当する）は、リモートコントローラ（＝Ｒｅｍｏｔｅｃｏｎｔｒｏｌｌｅｒ：以下、「リモコン」という）２と赤外線通信を介して通信可能に接続されている。
【００４３】
デジタル放送受信機１は、リモコン２を介してユーザからの操作入力を受け付けて、テレビジョン放送を受信し、図２を用いて後述するディスプレイ１８３に出力可能に構成されている。
【００４４】
リモコン２は、ユーザからの操作入力を受け付けて、操作入力に対応する赤外線信号を生成して、デジタル放送受信機１に対して出力するものであって、ここでは、親用リモコン２Ａ、及び子用リモコン２Ｂ、２Ｃを備えている。親用リモコン２Ａは、視聴制限等の機能制限を受けないユーザ（親等）が保有し、操作するものである。子用リモコン２Ｂ、２Ｃは、視聴制限等の機能制限を受けるべきユーザ（子等）が保有し、操作するものである。なお、ここでは、親用リモコン２Ａ、及び子用リモコン２Ｂ、２Ｃは、図３、図４に示すように略同一の構成を有するため、特に、各リモコンを区別して説明する場合を除いて、リモコン２と総称する。
【００４５】
図２は、デジタル放送受信機１の構成の一例を示すブロック図である。デジタル放送受信機１は、ＭＰＵ１１、ＲＡＭ１２、ＲＯＭ１３、操作部１４、受信部１５、音声出力部１６、ＭＰＥＧ２デコード部１７、画像出力部１８、及び、赤外線通信部１９を備えている。
【００４６】
ＭＰＵ（Ｍｉｃｒｏ  Ｐｒｏｃｅｓｓｉｎｇ  Ｕｎｉｔ）１１は、デジタル放送受信機１全体の動作を制御するものである。ＲＡＭ（Ｒａｎｄｏｍ  Ａｃｃｅｓｓ  Ｍｅｍｏｒｙ）１２は、音声情報、動画像情報等の情報を読み書き自在に格納するものである。ＲＯＭ（Ｒｅａｄ  Ｏｎｌｙ  Ｍｅｍｏｒｙ）１３は、ＭＰＵ１１を動作させる制御プログラム等を格納するものである。
【００４７】
操作部１４は、電源のＯＮ、ＯＦＦ操作、選局等の各種操作を受け付けるものである。ただし、操作部１４では、デジタル放送受信機１の各種設定（視聴制限設定等）に関する操作は行えないように構成されている。すなわち、デジタル放送受信機１の各種設定（視聴制限設定等）に関する操作は、リモコン２を介してのみ行えるものである。受信部１５は、テレビジョン放送を受信して復調するものであって、アンテナ部１５１、チューナ部１５２、Ａ／Ｄ変換部１５３、復調部１５４、及び、ＴＳデマルチプレクサ１５５を備えている。
【００４８】
アンテナ部１５１は、テレビジョン放送波を受信するものである。チューナ部１５２は、アンテナ部１５１で受信されたテレビジョン放送波から、予め設定されたチャンネルの放送を選局するものである。Ａ／Ｄ変換部１５３は、チューナ部１５２からの出力信号（＝アナログ信号）をデジタル情報に変換するものである。復調部１５４は、Ａ／Ｄ変換部１５３からの出力情報を復調するものである。ＴＳ（Ｔｒａｎｓｐｏｒｔ  Ｓｔｒｅａｍ）デマルチプレクサ１５５は、復調部１５４によって復調された出力情報を種別毎に分離して出力するものである。
【００４９】
音声出力部１６は、受信部１５によって受信されたテレビジョン放送に対応する音声を出力するものであって、Ｄ／Ａ変換部１６１、音声信号出力部１６２、及び、スピーカ１６３を備えている。Ｄ／Ａ変換部１６１は、ＴＳデマルチプレクサ１５５から出力された音声情報（＝デジタル情報）をアナログ信号に変換するものである。音声信号出力部１６２は、Ｄ／Ａ変換部１６１によってアナログ信号に変換された音声信号を出力するものである。スピーカ１６３は、音声信号出力部１６２から出力された音声信号に対応する音声を出力するものである。
【００５０】
ＭＰＥＧ（Ｍｏｔｉｏｎ  Ｐｉｃｔｕｒｅ  Ｅｘｐｅｒｔｓ  Ｇｒｏｕｐ）２デコード部１７は、ＴＳデマルチプレクサ１５５から出力された動画像情報を圧縮前の動画像情報に復号化するものである。
【００５１】
画像出力部１８は、ＭＰＥＧ２デコード部１７によって復号化された動画像情報を出力するものであって、ＮＴＳＣエンコード部１８１、映像信号出力部１８２、及び、ディスプレイ１８３を備えている。ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）エンコード部１８１は、ＭＰＥＧ２デコード部１７によって復号化された動画像情報をＮＴＳＣ方式のテレビジョン信号に変換するものである。映像信号出力部１８２は、ＮＴＳＣエンコード部１８１から出力されたＮＴＳＣ方式のテレビジョン信号をディスプレイ１８３に対して出力するものである。ディスプレイ１８３（モニタに相当する）は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等からなり、映像信号出力部１８２から出力されたテレビジョン信号に対応する動画像を表示するものである。
【００５２】
赤外線通信部１９（特定キー判定手段の一部に相当する）は、リモコン２からの電源のＯＮ、ＯＦＦ操作、選局、デジタル放送受信機１の各種設定（視聴制限設定等）等の各種操作を受け付けるものである。
【００５３】
次に、デジタル放送受信機１が放送を受信する場合の動作について説明する。まず、送信されてきたデジタル放送波がアンテナ部１５１で受信される。操作部１４を介して選局操作が受け付けられた場合には、チューナ部１５２によって受信するトランスポンダ（Ｔｒａｎｓｐｏｎｄｅｒ）の切換が行われる。受信されたデジタル放送波は、Ａ／Ｄ変換部１５３によりデジタル情報に変換され、復調部１５４によって復調される。
【００５４】
なお、デジタル放送波は、送信側（送信局）からＴＳ（Ｔｒａｎｓｐｏｒｔ  Ｓｔｒｅａｍ）パケットとして送信される。このＴＳパケットは、動画像情報、音声情報、チャンネル情報等を含む制御情報からなり、この制御情報がＴＳデマルチプレクサ１５５によって、分離して出力され、ＲＡＭ１２に格納される。そして、ＲＡＭ１２から読み出された音声情報がＤ／Ａ変換部１６１によってアナログ信号に変換され、音声信号出力部１６２を介してスピーカ１６３から音声が出力される。
【００５５】
また、ＲＡＭ１２から読み出された動画像情報がＭＰＥＧ２デコード部１７によって圧縮前の動画像情報に復号化され、ＮＴＳＣエンコード部１８１によってＮＴＳＣ方式のテレビジョン信号に変換されて、映像信号出力部１８２を介してディスプレイ１８３に動画像が表示される。
【００５６】
図３は、図１に示すリモコン２の外観の一例を示す図である。リモコン２は、赤外線信号出力部２０、パワーキー２１、テンキー２２、エンターキー２３、セットアップキー２４、及び、メニューキー２５を備えている。赤外線信号出力部２０（送信手段の一部に相当する）は、ユーザによって押下されたキーに対応する操作信号を生成し、赤外線信号に変換してデジタル放送受信機１に対して送信するものである。
【００５７】
パワーキー２１は、デジタル放送受信機１の電源を投入する場合、又は、電源を遮断する場合（＝スタンバイ状態とする場合）に押下されるキーである。テンキー２２は、「０」〜「９」の数字を受け付けるキーであって、チャンネル番号等を入力する場合に押下されるキーである。
【００５８】
エンターキー２３は、デジタル放送受信機１の視聴制限条件等の各種機能を設定する場合に押下されるキーである。セットアップキー２４は、デジタル放送受信機１のチャンネル設定等の初期設定を行う場合にセットアップ画面を表示させるべく押下されるキーである。メニューキー２５は、デジタル放送受信機１の視聴制限条件等の各種機能を設定する場合にメニュー画面を表示させるべく押下されるキーである。
【００５９】
図４は、図１に示すリモコン２の電気的構成の一例を示す構成図である。リモコン２は、ＭＰＵ２６、ＲＡＭ２７、ＲＯＭ２８、及び、キー押下検出部２９を備えている。ＭＰＵ（Ｍｉｃｒｏ  Ｐｒｏｃｅｓｓｉｎｇ  Ｕｎｉｔ）２６は、リモコン２全体の動作を制御するものである。ＲＡＭ（Ｒａｎｄｏｍ  Ａｃｃｅｓｓ  Ｍｅｍｏｒｙ）２７は、後述するキー識別情報等の各種情報を一時的に格納するものである。
【００６０】
ＲＯＭ（Ｒｅａｄ  Ｏｎｌｙ  Ｍｅｍｏｒｙ）２８は、ＭＰＵ２６を動作させる制御プログラム等を格納するものである。キー押下検出部２９（キー判別手段の一部に相当する）は、図３に示すパワーキー２１、テンキー２２、エンターキー２３、セットアップキー２４、及び、メニューキー２５等の各種キーが押下されたことを検出するものであって、各種キーに対応する操作検出信号をＭＰＵ２６（後述するキー判別部２６１）に出力するものである。
【００６１】
図５は、本発明に係る放送受信システムの主要部の構成の一例を示すブロック図である。図２に示すデジタル放送受信機１のＭＰＵ１１は、機能的に、特定キー判定部１１１、機能制限設定部１１２、及び、機能制限実行部１１３を備えている。また、図２に示すＲＡＭ１２は、機能的に、キー情報記憶部１２１及び機能制限記憶部１２２を備えている。図３に示すリモコン２のＭＰＵ２６は、機能的に、キー判別部２６１、操作信号生成部２６２、及び、操作信号送信部２６３を備えている。また、図３に示すリモコン２のＲＡＭ２７は、機能的に、キー情報記憶部２７１を備えている。
【００６２】
ここでは、ＭＰＵ１１が、図２に示すＲＯＭ１３等に予め格納された制御プログラムを読み出して実行することにより、特定キー判定部１１１、機能制限設定部１１２、機能制限実行部１１３等の機能部として機能すると共に、ＲＡＭ１２を、キー情報記憶部１２１、機能制限記憶部１２２等の機能部として機能させるものである。また、ＭＰＵ２６が、図４に示すＲＯＭ２８等に予め格納された制御プログラムを読み出して実行することにより、キー判別部２６１、操作信号生成部２６２、操作信号送信部２６３等の機能部として機能すると共に、ＲＡＭ２７を、キー情報記憶部２７１等の機能部として機能させるものである。
【００６３】
また、図２に示すＲＡＭ１２、ＲＯＭ１３、図４に示すＲＡＭ２７、ＲＯＭ２８に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｋ）、ＤＶＤ、半導体メモリ等である。
【００６４】
キー情報記憶部２７１（キー情報記憶手段に相当する）は、リモコン２に配設された複数のキー毎に予め設定され、キーを識別可能な識別情報であるキー識別情報を格納するものである。また、キー情報記憶部２７１は、特定キー（ここでは、パワーキー２１、エンターキー２３、及び、メニューキー２５）に対応するキー識別情報を、各リモコン２Ａ、２Ｂ、２Ｃを識別可能な識別情報であるリモコン識別情報として機能させるべく、複数の（ここでは、３台の）リモコン２Ａ、２Ｂ、２Ｃ毎に互いに相違して予め設定して格納されているものである。
【００６５】
図６は、キー情報記憶部２７１（及びキー情報記憶部１２１）に格納されたキー識別情報の一例を示す図表である。図の左側の欄は、リモコン２に配設されたキーの名称であり、中央欄は、親用リモコン２Ａのキー識別情報であり、右側の欄は、子用リモコン２Ｂ、２Ｃのキー識別情報である。
【００６６】
図に示すように、例えば、パワーキー２１のキー識別情報は、親用リモコン２Ａについては、「１０」に設定され、子用リモコン２Ｂ、２Ｃについては、「１１」に設定されているため、キー識別情報が、各リモコン２Ａ、２Ｂ、２Ｃを識別可能な識別情報であるリモコン識別情報として機能する。すなわち、デジタル放送受信機１がリモコン２から、キー識別情報「１０」を示す操作信号が受信された場合には、デジタル放送受信機１によって当該操作信号がリモコン２Ａから送信されたものであることを判別することができるのである。同様にして、エンターキー２３、及び、メニューキー２５のキー識別情報も、各リモコン２Ａ、２Ｂ、２Ｃを識別可能な識別情報であるリモコン識別情報として機能する。
【００６７】
また、図に示すように、例えば、テンキー２２を構成する各キーのキー識別情報は、全リモコン２Ａ、２Ｂ、２Ｃで共通に設定されているため、リモコン識別情報としては機能しない。このように、リモコン２に配設されたキーの内、特定のキー（ここでは、パワーキー２１、エンターキー２３、及び、メニューキー２５）に関してのみ、リモコン識別情報として機能するべくキー識別情報を設定することにより、キー情報記憶部２７１及びキー情報記憶部１２１の容量を削減することができると共に、リモコン２及びデジタル放送受信機１の動作速度を向上させることができる。
【００６８】
再び、図５に戻って、放送受信システムの機能構成について説明する。キー判別部２６１（キー判別手段の一部に相当する）は、キー押下検出部２９を介してユーザからのパワーキー２１、テンキー２２等のキーの押下を受け付けて、複数のキーの内、押下されたキーを判別するものである。
【００６９】
操作信号生成部２６２（送信手段の一部に相当する）は、キー判別部２６１によって押下されたと判定されたキーに対応するキー識別情報を、キー情報記憶部２７１から読み出して、読み出されたキー識別情報を操作信号として生成するものである。また、操作信号生成部２６２は、リモコン２に配設された複数のキーの内、予め設定された少なくとも１のキーである特定キー（ここでは、パワーキー２１、エンターキー２３、及び、メニューキー２５）が押下された場合に、各リモコン２Ａ、２Ｂ、２Ｃを識別可能な識別情報であるリモコン識別情報を、操作信号として生成するものである（図６参照）。
【００７０】
操作信号送信部２６３（送信手段の一部に相当する）は、操作信号生成部２６２によって生成された操作信号を、赤外線信号出力部２０を介して赤外線通信信号に変換してデジタル放送受信機１へ送信するものである。
【００７１】
キー情報記憶部１２１（特定キー判定手段の一部に相当する）は、キー情報記憶部２７１と同様に、リモコン２に配設された複数のキー毎に予め設定され、キーを識別可能な識別情報であるキー識別情報を格納するものである。また、キー情報記憶部２７１は、特定キー（ここでは、パワーキー２１、エンターキー２３、及び、メニューキー２５）に対応するキー識別情報を、各リモコン２Ａ、２Ｂ、２Ｃを識別可能な識別情報であるリモコン識別情報として機能させるべく、複数の（ここでは、３台の）リモコン２Ａ、２Ｂ、２Ｃ毎に互いに相違して予め設定して格納されているものである（図６参照）。
【００７２】
機能制限記憶部１２２（機能制限記憶手段に相当する）は、各リモコン２Ａ、２Ｂ、２Ｃを識別可能な識別情報であるリモコン識別情報と対応付けて、機能制限の条件を規定する情報である機能制限設定情報を格納するものである。また、機能制限記憶部１２２は、視聴制限を設定する情報である視聴制限設定情報を含む機能制限設定情報を格納するものである。
【００７３】
ここでは、機能制限記憶部１２２には、例えば、親用リモコン２Ａに対しては、視聴制限がないことを示す機能制限設定情報が格納され、子用リモコン２Ｂ、２Ｃに対しては、視聴制限がある（＝特定の番組、又は特定のチャンネルを視聴することを禁止する）ことを示す機能制限設定情報が格納されているものとする。
【００７４】
特定キー判定部１１１（特定キー判定手段の一部に相当する）は、赤外線通信部１９を介してリモコン２（＝操作信号送信部２６３）から特定キー（ここでは、パワーキー２１、エンターキー２３、及び、メニューキー２５）に対応する操作信号が受け付けられたか否かを、キー情報記憶部１２１を参照して判定するものである。すなわち、特定キー判定部１１１は、キー情報記憶部１２１に格納された特定キー（ここでは、パワーキー２１、エンターキー２３、及び、メニューキー２５）に対応するキー識別情報を示す操作信号が受け付けられたか否かを判定するものである。
【００７５】
機能制限設定部１１２（機能制限設定手段に相当する）は、特定キー判定部１１１によって特定キーに対応する操作信号が受け付けられたと判定された場合に、受け付けられた操作信号に含まれるリモコン識別情報に対応する機能制限設定情報を、機能制限記憶部１２２から読み出し、読み出された機能制限設定情報に基づいて、機能制限の条件を設定するものである。
【００７６】
ここでは、機能制限設定部１１２は、特定キー判定部１１１によって親用リモコン２Ａに対応する操作信号が受け付けられた場合には、視聴制限がない旨の機能制限を設定し、特定キー判定部１１１によって子用リモコン２Ｂ、２Ｃに対応する操作信号が受け付けられた場合には、視聴制限がある（＝特定の番組、又は特定のチャンネルを視聴することを禁止する）旨の機能制限を設定するものである。
【００７７】
機能制限実行部１１３は、機能制限設定部１１２によって設定された機能制限の条件に基づいて、各種機能を制限するものである。ここでは、機能制限実行部１１３は、機能制限設定部１１２によって、視聴制限がない旨の機能制限が設定された場合には、全ての番組、及び、チャンネルを視聴可能とし、視聴制限がある旨の機能制限が設定された場合には、特定の番組、又は特定のチャンネルを視聴することを禁止するものである。
【００７８】
図７は、デジタル放送受信機１（主にＭＰＵ１１）の動作の一例を示すフローチャートである。まず、特定キー判定部１１１によって、操作信号が受け付けられたか否かの判定が行われる（Ｓ１０１）。操作信号が受け付けられていないと判定された場合（Ｓ１０１でＮＯ）には、処理が待機状態とされる。操作信号が受け付けられたと判定された場合（Ｓ１０１でＹＥＳ）には、特定キー判定部１１１によって、パワーキー２１に対応する操作信号が受け付けられたか否かの判定が行われる（Ｓ１０３）。
【００７９】
パワーキー２１に対応する操作信号が受け付けられたと判定された場合（Ｓ１０３でＹＥＳ）には、処理がステップＳ１０９に進められる。パワーキー２１に対応する操作信号が受け付けられていないと判定された場合（Ｓ１０３でＮＯ）には、特定キー判定部１１１によって、メニューキー２５に対応する操作信号が受け付けられたか否かの判定が行われる（Ｓ１０５）。
【００８０】
メニューキー２５に対応する操作信号が受け付けられたと判定された場合（Ｓ１０５でＹＥＳ）には、処理がステップＳ１０９に進められる。メニューキー２５に対応する操作信号が受け付けられていないと判定された場合（Ｓ１０５でＮＯ）には、特定キー判定部１１１によって、エンターキー２３に対応する操作信号が受け付けられたか否かの判定が行われる（Ｓ１０７）。
【００８１】
エンターキー２３に対応する操作信号が受け付けられていないと判定された場合（Ｓ１０７でＮＯ）には、処理がステップＳ１０１に戻され、ステップＳ１０１以降の処理が繰り返し実行される。エンターキー２３に対応する操作信号が受け付けられたと判定された場合（Ｓ１０７でＮＯ）、ステップＳ１０３でＹＥＳの場合、又は、ステップＳ１０５でＹＥＳの場合には、機能制限設定部１１２によって、受け付けられた操作信号に含まれるリモコン識別情報が親用リモコン２Ａを示す情報であるか否かの判定が行われる（Ｓ１０９）。
【００８２】
親用リモコン２Ａを示す情報であると判定された場合（Ｓ１０９でＹＥＳ）には、機能制限設定部１１２によって視聴制限が解除され（Ｓ１１１）、処理が終了される。親用リモコン２Ａを示す情報ではない（＝子用リモコン２Ｂ、２Ｃを示す情報である）と判定された場合（Ｓ１０９でＮＯ）には、機能制限設定部１１２によって視聴制限が設定され（Ｓ１１３）、処理が終了される。
【００８３】
このようにして、各リモコン２Ａ、２Ｂ、２Ｃにおいて、複数のキーの内、予め設定された少なくとも１のキーである特定キー（ここでは、パワーキー２１、エンターキー２３、及び、メニューキー２５）が押下された場合に、各リモコン２Ａ、２Ｂ、２Ｃを識別可能な識別情報であるリモコン識別情報が、操作信号としてデジタル放送受信機１に対して送信される。また、デジタル放送受信機１では、特定キーに対応する操作信号が受け付けられたか否かが判定され、特定キーに対応する操作信号が受け付けられたと判定された場合に、受け付けられた操作信号に含まれるリモコン識別情報に対応する機能制限設定情報が、機能制限記憶部１２２から読み出される。そして、読み出された機能制限設定情報に基づいて、機能制限の条件が設定されるため、簡便に且つ確実に機能制限を行うことができる。
【００８４】
すなわち、各リモコン２Ａ、２Ｂ、２Ｃから特定キーに対応する操作信号が受け付けられると、受け付けられた操作信号に含まれると共に、各リモコン２Ａ、２Ｂ、２Ｃを識別可能な識別情報であるリモコン識別情報に対応する機能制限設定情報に基づいて、機能制限の条件が設定されるため、ユーザがリモコン２の特定キーを押下することによって、各リモコン２Ａ、２Ｂ、２Ｃに対応する機能制限の条件が設定されるので、簡便に且つ確実に機能制限を行うことができるのである。
【００８５】
また、機能制限記憶部１２２に、各リモコン２Ａ、２Ｂ、２Ｃを識別可能な識別情報であるリモコン識別情報と対応付けて、機能制限の条件を規定する情報である機能制限設定情報が格納されており、リモコン２から受け付けられた操作信号に含まれるリモコン識別情報に対応する機能制限設定情報が読み出され、読み出された機能制限設定情報に基づいて、機能制限の条件が設定されるため、簡便に且つ確実に機能制限を行うことができるのである。
【００８６】
更に、特定キーがデジタル放送受信機１の電源を投入する場合に押下されるパワーキー２１を含むため、ユーザが電源を投入する際に機能制限の条件が設定されるため、更に簡便に機能制限を行うことができる。
【００８７】
すなわち、ユーザがデジタル放送受信機１を介して放送を視聴する場合には、まず、電源が投入されるため、電源を投入する操作を行ったユーザのリモコン２に対応する機能制限の条件が設定されるので、更に簡便に機能制限を行うことができるのである。
【００８８】
加えて、特定キーがデジタル放送受信機１の機能を設定する場合にメニュー画面を表示させるべく押下されるメニューキー２５を含むため、ユーザがデジタル放送受信機１の機能を設定する際に機能制限の条件が設定されるため、更に確実に機能制限を行うことができる。
【００８９】
すなわち、ユーザがデジタル放送受信機１の機能を設定する場合には、メニュー画面を表示させるためのメニューキー２５が押下されるが、このメニューキー２５が押下された際に、その操作を行ったユーザのリモコン２に対応する機能制限の条件が設定されるので、更に確実に機能制限を行うことができるのである。
【００９０】
例えば、機能制限を受けるべきユーザ（例えば、子供等）が、メニューキー２５を押下した場合には、該ユーザのリモコン２Ｂ、２Ｃに対応する機能制限の条件として、デジタル放送受信機１の機能を設定することを禁止する設定としておくことによって、該ユーザは、デジタル放送受信機１の機能を設定することができず、機能制限の条件を変更することができないのである。
【００９１】
また、特定キーがデジタル放送受信機１の機能を設定する場合に押下されるエンターキー２３を含むため、ユーザがデジタル放送受信機１の機能を設定する際に機能制限の条件が設定されるため、更に確実に機能制限を行うことができる。
【００９２】
すなわち、ユーザがデジタル放送受信機１の機能を設定する場合には、デジタル放送受信機１の機能を設定するエンターキー２３が押下されるが、このエンターキー２３が押下された際に、その操作を行ったユーザのリモコン２に対応する機能制限の条件が設定されるので、更に確実に機能制限を行うことができるのである。
【００９３】
例えば、機能制限を受けるべきユーザ（例えば、子供等）が、エンターキー２３を押下した場合には、該ユーザのリモコン２Ｂ、２Ｃに対応する機能制限の条件として、デジタル放送受信機１の機能を設定することを禁止する設定としておくことによって、該ユーザは、デジタル放送受信機１の機能を設定することができず、機能制限の条件を変更することができないのである。
【００９４】
更に、ユーザからの複数のキーの押下が受け付けられて、複数のキーの内、押下されたキーが判別され、押下されたと判定されたキーに対応すると共に、キーを識別可能な識別情報であるキー識別情報が、キー情報記憶部２７１から読み出され、読み出されたキー識別情報が操作信号として送信される。また、キー情報記憶部２７１には、特定キー（ここでは、パワーキー２１、エンターキー２３、及び、メニューキー２５）に対応するキー識別情報が、各リモコン２Ａ、２Ｂ、２Ｃを識別可能な識別情報であるリモコン識別情報として機能させるべく、複数のリモコン２Ａ、２Ｂ、２Ｃ毎に互いに相違して予め設定して格納されている（図６参照）ため、特定キーに対応するキー識別情報がリモコン識別情報として機能するので、簡素な構成でリモコン識別情報を生成することができる。
【００９５】
加えて、機能制限設定情報が視聴制限を設定する情報である視聴制限設定情報を含むため、簡便に且つ確実に視聴制限を行うことができる。
【００９６】
なお、本発明は、以下の形態にも適用可能である。
（Ａ）本実施形態では、放送受信システムが３台のリモコン２を備える場合について説明したが、複数のリモコン２を備える形態であればよい。例えば、放送受信システムが２台のリモコン２を備える形態でもよいし、４台以上のリモコン２を備える形態でもよい。
【００９７】
（Ｂ）本実施形態では、放送受信装置が、デジタル放送受信機１である場合について説明したが、放送受信システムが、テレビジョン放送を受信し、外部から視認可能にディスプレイ１８３に出力するであればよい。例えば、放送受信システムが、アナログ放送を受信する形態でもよいし、アナログ放送及びデジタル放送を受信する形態でもよい。
【００９８】
（Ｃ）本実施形態では、モニタが、デジタル放送受信機１に配設されたディスプレイ１８３である場合について説明したが、モニタが、デジタル放送受信機１とは別の装置として構成されている形態でもよい。例えば、モニタが、パーソナルコンピュータ等に配設されたモニタである形態でもよい。
【００９９】
（Ｄ）本実施形態では、特定キーが、パワーキー２１、エンターキー２３、及び、メニューキー２５である場合について説明したが、特定キーが、パワーキー２１、エンターキー２３、及び、メニューキー２５の少なくとも１のキーを含む形態でもよいし、その他のキーを含む形態でもよい。特定キーの個数が少ない程、キー情報記憶部２７１及びキー情報記憶部１２１の容量を削減できると共に、ＭＰＵ２６（操作信号生成部２６２）及びＭＰＵ１１（特定キー判定部１１１等）の処理を簡略化することができる。
【０１００】
また、逆に、リモコン２に配設された全てのキーが特定キーである形態でもよい。すなわち、リモコン２に配設された全てのキーのキー識別情報が、各リモコン２Ａ、２Ｂ、２Ｃを識別可能な識別情報であるリモコン識別情報として機能するべく設定されている形態でもよい。この場合には、リモコン２に配設されたキーが押下される度に、リモコン識別情報を判別して、キーが押下されたリモコン２に対応する機能制限の条件を設定することができるため、更に確実に視聴制限を行うことができる。
【０１０１】
（Ｅ）本実施形態では、リモコン識別情報が、親用リモコン２Ａに対応するものと、子用リモコン２Ｂ、２Ｃに対応するものとの２種類である場合について説明したが、リモコン識別情報が３種類以上である形態でもよい。リモコン識別情報の種類が多い程、細かい機能制限設定情報を設定することが可能となる。例えば、家族一人一人を識別可能なリモコン識別情報が設定されている場合には、家族一人一人に対応する機能制限設定情報を設定することができる。
【０１０２】
（Ｆ）本実施形態では、機能制限設定情報が視聴制限情報である場合について説明したが、デジタル放送受信機１におけるその他の機能制限の条件を規定する情報である形態でもよい。例えば、機能制限設定情報が、デジタル放送受信機１のチャンネルを設定する機能を制限する情報である形態でもよい。
【０１０３】
（Ｇ）本実施形態では、機能制限設定情報が、受信部１５を介して受信された特定の番組、又は特定のチャンネルを視聴することを禁止する視聴制限情報である場合について説明したが、機能制限設定情報が、ＤＶＤプレイヤ等の外部装置から受け付けた情報に関する視聴制限情報である形態でもよい。
【図面の簡単な説明】
【０１０４】
【図１】は、本発明に係るデジタル放送受信システムの一例を示す構成図である。
【図２】は、デジタル放送受信機の構成の一例を示すブロック図である。
【図３】は、図１に示すリモコンの外観の一例を示す図である。
【図４】は、図１に示すリモコンの電気的構成の一例を示す構成図である。
【図５】は、本発明に係る放送受信システムの主要部の構成の一例を示すブロック図である。
【図６】は、キー情報記憶部に格納されたキー識別情報の一例を示す図表である。
【図７】は、デジタル放送受信機（主にＭＰＵ）の動作の一例を示すフローチャートである。
【符号の説明】
【０１０５】
１    デジタル放送受信機（放送受信装置）
１１    ＭＰＵ
１１１    特定キー判定部（特定キー判定手段の一部）
１１２    機能制限設定部（機能制限設定手段）
１１３    機能制限実行部
１２    ＲＡＭ
１２１    キー情報記憶部（特定キー判定手段の一部）
１２２    機能制限記憶部（機能制限記憶手段）
２    リモコン
２Ａ    親用リモコン
２Ｂ、２Ｂ    子用リモコン
２０    赤外線信号出力部（送信手段の一部）
２１    パワーキー
２３    エンターキー
２５    メニューキー
２６    ＭＰＵ
２６１    キー判別部（キー判別手段の一部）
２６２    操作信号生成部（送信手段の一部）
２６３    操作信号送信部（送信手段の一部）
２７    ＲＡＭ
２７１    キー情報記憶部（キー情報記憶手段）
２９    キー押下検出部（キー判別手段の一部）
【図１】
2008131430.tif 000003
【図２】
2008131430.tif 000004
【図３】
2008131430.tif 000005
【図４】
2008131430.tif 000006
【図５】
2008131430.tif 000007
【図６】
2008131430.tif 000008
【図７】
2008131430.tif 000009